(57)【特許請求の範囲】
【請求項１】
紙幣および硬貨からなる貨幣を処理する貨幣処理機であって、
貨幣を機体内に入金するための入金部と、
機体内に設けられ、貨幣を収納するための収納部と、
前記収納部に収納された貨幣を機体外に出金するための出金部と、
残置金額を記憶するための記憶部と、
前記出金部の制御を行う制御部であって、紙幣のみを回収する第１の売上金回収処理を行うときに、前記収納部における紙幣および硬貨の合計在高が、前記記憶部に記憶された残置金額と、紙幣の最小単位金額よりも小さい端数金額との合計の大きさとなるように、紙幣のみを出金するよう前記出金部を制御する制御部と、
を備えたことを特徴とする貨幣処理機。
【請求項２】
前記第１の売上金回収処理を実行した後の前記端数金額が、前記記憶部または前記記憶部とは別に設けられた他の記憶部に記憶されるようになっていることを特徴とする請求項１記載の貨幣処理機。
【請求項３】
前記制御部は、複数回の前記第１の売上金回収処理を行ったときに、各回の前記第１の売上金回収処理における前記端数金額の累積値が紙幣の最小単位金額以上となった場合には、前記出金部を制御して紙幣を出金する際に、前記最小単位金額分の紙幣を追加的に出金させることを特徴とする請求項２記載の貨幣処理機。
【請求項４】
前記制御部は、前記収納部における紙幣および硬貨の合計在高が、記憶された残置金額と同額となるように、紙幣および硬貨を出金する第２の売上金回収処理も行うことができるようになっており、当該制御部は、前記第１の売上金回収処理および前記第２の売上金回収処理のうちいずれか一方の売上金回収処理を選択して実行するようになっていることを特徴とする請求項１乃至３のいずれか一項に記載の貨幣処理機。
【請求項５】
紙幣および硬貨からなる貨幣を処理する貨幣処理機と、
前記貨幣処理機とは別に設けられ、当該貨幣処理機に通信接続された外部装置と、
を備えた貨幣処理システムであって、
前記貨幣処理機は、
貨幣を機体内に入金するための入金部と、
機体内に設けられ、貨幣を収納するための収納部と、
前記収納部に収納された貨幣を機体外に出金するための出金部と、
を有し、
前記貨幣処理システムは、
残置金額を記憶するための記憶部と、
前記貨幣処理機の前記出金部の制御を行う制御部であって、紙幣のみを回収する第１の売上金回収処理を行うときに、前記貨幣処理機の前記収納部における紙幣および硬貨の合計在高が、前記記憶部に記憶された残置金額と、紙幣の最小単位金額よりも小さい端数金額との合計の大きさとなるように、紙幣のみを出金するよう前記貨幣処理機の前記出金部を制御する制御部と、
を備えたことを特徴とする貨幣処理システム。
【請求項６】
前記第１の売上金回収処理を実行した後の前記端数金額が、前記記憶部または前記記憶部とは別に設けられた他の記憶部に記憶されるようになっていることを特徴とする請求項５記載の貨幣処理システム。
【請求項７】
紙幣および硬貨からなる貨幣を処理する貨幣処理機を複数備えた貨幣処理システムであって、
前記各貨幣処理機は、
貨幣を機体内に入金するための入金部と、
機体内に設けられ、貨幣を収納するための収納部と、
前記収納部に収納された貨幣を機体外に出金するための出金部と、
を有し、
前記貨幣処理システムは、
前記各貨幣処理機の残置金額を特定可能な情報を記憶する記憶部と、
前記各貨幣処理機の出金部の制御を行う制御部であって、前記各貨幣処理機から紙幣のみを回収する第３の売上金回収処理を行うときに、複数の貨幣処理機の前記収納部における紙幣および硬貨の総合計在高が、前記記憶部に記憶された情報から特定される残置金額を合わせた総残置金額と、紙幣の最小単位金額よりも小さい端数金額との合計の大きさとなるように、紙幣のみを出金するよう前記各貨幣処理機の出金部を制御する制御部と、
を備えたことを特徴とする貨幣処理システム。
【請求項８】
前記第３の売上金回収処理を実行した後の前記端数金額が、前記記憶部または前記記憶部とは別に設けられた他の記憶部に記憶されるようになっていることを特徴とする請求項７記載の貨幣処理システム。
【請求項９】
前記制御部は、複数回の前記第３の売上金回収処理を行ったときに、各回の前記第３の売上金回収処理における前記端数金額の累積値が紙幣の最小単位金額以上となった場合には、前記各貨幣処理機の前記出金部を制御して紙幣を出金する際に、前記最小単位金額分の紙幣を特定の貨幣処理機から追加的に出金させることを特徴とする請求項８記載の貨幣処理システム。
【請求項１０】
貨幣処理機により紙幣および硬貨からなる貨幣を処理する貨幣処理方法であって、
残置金額を記憶する工程と、
前記貨幣処理機の収納部における紙幣および硬貨の合計在高が、記憶された残置金額と、紙幣の最小単位金額よりも小さい端数金額との合計の大きさとなるように、紙幣のみを前記貨幣処理機から出金する工程と、
を備えたことを特徴とする貨幣処理方法。
【請求項１１】
前記貨幣処理機から紙幣が出金された後の前記端数金額を記憶する工程を更に備えたことを特徴とする請求項１０記載の貨幣処理方法。
【発明の詳細な説明】
【技術分野】
【０００１】
本発明は、紙幣および硬貨からなる貨幣を処理する貨幣処理機、この貨幣処理機を備えた貨幣処理システム、および貨幣処理機により貨幣を処理する貨幣処理方法に関する。
【背景技術】
【０００２】
従来から、紙幣や硬貨等の貨幣の処理を行う貨幣処理機として様々な種類のものが知られている。具体的には、紙幣釣銭機および硬貨釣銭機が組み合わせられた貨幣釣銭機が店舗等に設置されており、顧客から受け取った紙幣や硬貨を店員が貨幣釣銭機に入金するとともに、釣銭としての紙幣や硬貨が貨幣釣銭機から出金されるようになっている。このような貨幣釣銭機として、例えば特許文献１、２等に開示されるものが知られている。
【０００３】
従来の貨幣釣銭機では、店舗の営業終了後、あるいは営業中の所定のタイミングに行われる精算処理時において当該貨幣釣銭機から売上金としての紙幣や硬貨を回収する際に、（ａ）機体内に収納された紙幣および硬貨を全て回収する全回収処理、（ｂ）機体内に収納された紙幣および硬貨のうち所定の金額の紙幣および硬貨を機体内に残して他の紙幣および硬貨を回収する金額残置回収処理、（ｃ）機体内に収納された紙幣および硬貨のうち各金種について所定の枚数の紙幣および硬貨を機体内に残して他の紙幣および硬貨を回収する枚数残置回収処理、（ｄ）機体内に収納された紙幣および硬貨のうち店舗の売上金分の金額の紙幣および硬貨を回収する売上金回収処理、のうちいずれか一つの処理が選択されて実行されるようになっている。金額残置回収処理や枚数残置回収処理では、機体内に残置する紙幣および硬貨の合計在高や金種毎の枚数が、店舗の営業開始前に貨幣釣銭機の機体内に収納されていた紙幣や硬貨の初期在高や金種毎の枚数と一致するよう、紙幣および硬貨の回収を行うようになっている。
【先行技術文献】
【特許文献】
【０００４】
【特許文献１】特開２００９−２３０６８０号公報
【特許文献２】特許第３２９５２９１号
【発明の概要】
【発明が解決しようとする課題】
【０００５】
ところで、例えばコンビニエンスストア等の、ＡＴＭが併設された店舗に上述のような貨幣釣銭機が設置される場合には、当該貨幣釣銭機から回収された貨幣は、店舗内のＡＴＭに入金されるか、あるいは店員等により銀行に運搬されて銀行内のＡＴＭに入金されたり銀行窓口に持ち込まれたりするようになっている。ここで、店舗に設置されたＡＴＭには硬貨を入金することができないようになっている場合が多い。このため、貨幣釣銭機から回収された貨幣を店舗内のＡＴＭに入金する場合は、紙幣のみをＡＴＭに入金し、硬貨は貨幣釣銭機へ再投入していた。そのために、無駄な作業が生じたり、硬貨の紛失等が発生する可能性もあった。
【０００６】
これに対して、特許文献２に開示される貨幣処理機では、精算時に紙幣のみの出金を行うことができるようになっている。このような貨幣処理機では、所定の金額の貨幣を機体内に残して他の貨幣を回収するような金額残置回収処理を行う際に、硬貨を全て機体内に残し、紙幣については、紙幣および硬貨の初期在高から硬貨の現在在高を差し引いた値について、紙幣の最小単位金額である１，０００円単位になるように、切り捨て、切り上げ、又は四捨五入等の処理を行うことによってこの値を丸め、その丸めた結果を収納部の現在の紙幣の在高から差し引くことによって紙幣の回収額を算出している。しかしながら、このような方法では、紙幣を出金した後に、機体内に残置される紙幣および硬貨の合計金額が初期在高よりも小さくなってしまうおそれがある。このことは、特に、フランチャイズ形式のコンビニエンスストアにおいて好ましくない事態を生じさせる。通常、各店舗は、期間内の売上金を本部の口座に振り込んでいるが、このように、売上金を超える金額を振り込むことはありえないからである。また、回収時に丸められた金額が管理されていないため、長期的にみると、現金管理が不正確になる可能性がある。
【０００７】
本発明は、このような点を考慮してなされたものであり、貨幣処理機の収納部における紙幣および硬貨の合計在高が、記憶された残置金額と、紙幣の最小単位金額よりも小さい端数金額との合計の大きさとなるように、紙幣のみを貨幣処理機から出金するようになっているので、売上金としての紙幣や硬貨を回収する際に紙幣のみを貨幣処理機から出金させることができ、しかも、貨幣処理機の機体内に実際に残置される紙幣および硬貨の合計在高から、記憶された残置金額を差し引いた差分を常にプラスとすることができるので、回収される紙幣の金額が過大になってしまうことを防止することができる貨幣処理機、貨幣処理システムおよび貨幣処理方法を提供することを目的とする。
【課題を解決するための手段】
【０００８】
本発明は、紙幣および硬貨からなる貨幣を処理する貨幣処理機であって、貨幣を機体内に入金するための入金部と、機体内に設けられ、貨幣を収納するための収納部と、前記収納部に収納された貨幣を機体外に出金するための出金部と、残置金額を記憶するための記憶部と、前記出金部の制御を行う制御部であって、第１の売上金回収処理を行うときに、前記収納部における紙幣および硬貨の合計在高が、前記記憶部に記憶された残置金額と、紙幣の最小単位金額よりも小さい端数金額との合計の大きさとなるように、紙幣のみを出金するよう前記出金部を制御する制御部と、を備えたことを特徴とする貨幣処理機である。
【０００９】
このような貨幣処理機によれば、制御部は、第１の売上金回収処理を行うときに、収納部における紙幣および硬貨の合計在高が、記憶部に記憶された残置金額と、紙幣の最小単位金額よりも小さい端数金額との合計の大きさとなるように、紙幣のみを出金するよう出金部を制御するようになっている。このような第１の売上金回収処理では、売上金としての紙幣や硬貨を回収する際に紙幣のみを出金させることができるので、店舗に設置されたＡＴＭに硬貨を入金することができないようになっている場合でも、回収された貨幣（紙幣）を当該ＡＴＭに入金することができる。また、第１の売上金回収処理では、貨幣処理機の機体内に残置される硬貨および紙幣の合計在高が、予め設定されて記憶された残置金額よりも必ず大きくなる。このため、回収される紙幣の金額が過大になってしまうことを防止することができる。
【００１０】
本発明の貨幣処理機においては、前記第１の売上金回収処理を実行した後の前記端数金額が、前記記憶部または前記記憶部とは別に設けられた他の記憶部に記憶されるようになっていてもよい。
【００１１】
本発明の貨幣処理機においては、前記制御部は、複数回の前記第１の売上金回収処理を行ったときに、各回の前記第１の売上金回収処理における前記端数金額の累積値が紙幣の最小単位金額以上となった場合には、前記出金部を制御して紙幣を出金する際に、前記最小単位金額分の紙幣を追加的に出金させるようになっていてもよい。
【００１２】
本発明の貨幣処理機においては、前記制御部は、前記収納部における紙幣および硬貨の合計在高が、記憶された残置金額と同額となるように、紙幣および硬貨を出金する第２の売上金回収処理も行うことができるようになっており、当該制御部は、前記第１の売上金回収処理および前記第２の売上金回収処理のうちいずれか一方の売上金回収処理を選択して実行するようになっていてもよい。
【００１３】
本発明は、紙幣および硬貨からなる貨幣を処理する貨幣処理機と、前記貨幣処理機とは別に設けられ、当該貨幣処理機に通信接続された外部装置と、を備えた貨幣処理システムであって、前記貨幣処理機は、貨幣を機体内に入金するための入金部と、機体内に設けられ、貨幣を収納するための収納部と、前記収納部に収納された貨幣を機体外に出金するための出金部と、を有し、前記貨幣処理システムは、残置金額を記憶するための記憶部と、前記貨幣処理機の前記出金部の制御を行う制御部であって、第１の売上金回収処理を行うときに、前記貨幣処理機の前記収納部における紙幣および硬貨の合計在高が、前記記憶部に記憶された残置金額と、紙幣の最小単位金額よりも小さい端数金額との合計の大きさとなるように、紙幣のみを出金するよう前記貨幣処理機の前記出金部を制御する制御部と、を備えたことを特徴とする貨幣処理システムである。
【００１４】
本発明の貨幣処理システムにおいては、前記第１の売上金回収処理を実行した後の前記端数金額が、前記記憶部または前記記憶部とは別に設けられた他の記憶部に記憶されるようになっていてもよい。
【００１５】
本発明は、紙幣および硬貨からなる貨幣を処理する貨幣処理機を複数備えた貨幣処理システムであって、前記各貨幣処理機は、貨幣を機体内に入金するための入金部と、機体内に設けられ、貨幣を収納するための収納部と、前記収納部に収納された貨幣を機体外に出金するための出金部と、を有し、前記貨幣処理システムは、前記各貨幣処理機の残置金額を特定可能な情報を記憶する記憶部と、前記各貨幣処理機の出金部の制御を行う制御部であって、第３の売上金回収処理を行うときに、複数の貨幣処理機の前記収納部における紙幣および硬貨の総合計在高が、前記記憶部に記憶された情報から特定される残置金額を合わせた総残置金額と、紙幣の最小単位金額よりも小さい端数金額との合計の大きさとなるように、紙幣のみを出金するよう前記各貨幣処理機の出金部を制御する制御部と、を備えたことを特徴とする貨幣処理システムである。
【００１６】
このような貨幣処理システムによれば、制御部は、第３の売上金回収処理を行うときに、複数の貨幣処理機の収納部における紙幣および硬貨の総合計在高が、記憶部に記憶された情報から特定される残置金額を合わせた総残置金額と、紙幣の最小単位金額よりも小さい端数金額との合計の大きさとなるように、紙幣のみを出金するよう各貨幣処理機の出金部を制御するようになっている。このような第３の売上金回収処理では、売上金としての紙幣や硬貨を回収する際に紙幣のみを出金させることができるので、店舗に設置されたＡＴＭに硬貨を入金することができないようになっている場合でも、回収された貨幣（紙幣）を当該ＡＴＭに入金することができる。また、第３の売上金回収処理では、複数の貨幣処理機の収納部における紙幣および硬貨の総合計在高が、記憶部に記憶された情報から特定される残置金額を合わせた総残置金額よりも必ず大きくなる。このため、回収される紙幣の金額が過大になってしまうことを防止することができる。また、第３の売上金回収処理では、複数の貨幣処理機における機体内の紙幣および硬貨の在高をまとめて管理している。このため、売上金回収処理を行う際に貨幣処理機を個々に管理する場合と比較して、貨幣処理システム全体における残置金額を減少させることができる。
【００１７】
本発明の貨幣処理システムにおいては、前記第３の売上金回収処理を実行した後の前記端数金額が、前記記憶部または前記記憶部とは別に設けられた他の記憶部に記憶されるようになっていてもよい。
【００１８】
本発明の貨幣処理システムにおいては、前記制御部は、複数回の前記第３の売上金回収処理を行ったときに、各回の前記第３の売上金回収処理における前記端数金額の累積値が紙幣の最小単位金額以上となった場合には、前記各貨幣処理機の前記出金部を制御して紙幣を出金する際に、前記最小単位金額分の紙幣を特定の貨幣処理機から追加的に出金させるようになっていてもよい。
【００１９】
本発明は、貨幣処理機により紙幣および硬貨からなる貨幣を処理する貨幣処理方法であって、残置金額を記憶する工程と、前記貨幣処理機の収納部における紙幣および硬貨の合計在高が、記憶された残置金額と、紙幣の最小単位金額よりも小さい端数金額との合計の大きさとなるように、紙幣のみを前記貨幣処理機から出金する工程と、を備えたことを特徴とする貨幣処理方法である。
【００２０】
本発明の貨幣処理方法においては、前記貨幣処理機から紙幣が出金された後の前記端数金額を記憶する工程を更に備えていてもよい。
【発明の効果】
【００２１】
本発明の貨幣処理機、貨幣処理システムおよび貨幣処理方法によれば、後処理を効率良く行うことができるような売上金の精算処理を実現できる。例えば、売上金としての紙幣や硬貨を回収する際に紙幣のみを貨幣処理機から出金させることができ、しかも、貨幣処理機の機体内に実際に残置される紙幣および硬貨の合計在高から、記憶された残置金額を差し引いた差分を常にプラスとすることができるので、回収される紙幣の金額が過大になってしまうことを防止することができる。
【図面の簡単な説明】
【００２２】
【図１】本発明の一の実施の形態における貨幣処理システムが設けられた店舗システムの構成を示す図である。
【図２】本発明の一の実施の形態における貨幣処理システムの構成の概略を示す概略構成図である。
【図３】図２に示す貨幣処理システムにおける硬貨釣銭機、紙幣釣銭機およびＰＯＳレジスタの外観を示す斜視図である。
【図４】図２等に示す貨幣処理システムの制御ブロック図である。
【図５】第１の売上金回収処理が実行されるときの硬貨釣銭機や紙幣釣銭機における硬貨や紙幣の収納状況等を示す説明図である。
【図６】第２の売上金回収処理が実行されるときの硬貨釣銭機や紙幣釣銭機における硬貨や紙幣の収納状況等を示す説明図である。
【図７】貨幣釣銭機が複数設けられている場合において、第１の売上金回収処理が実行されるときの硬貨釣銭機や紙幣釣銭機における硬貨や紙幣の収納状況等を示す説明図である。
【図８】貨幣釣銭機が複数設けられている場合において、第３の売上金回収処理が実行されるときの硬貨釣銭機や紙幣釣銭機における硬貨や紙幣の収納状況等を示す説明図である。
【発明を実施するための形態】
【００２３】
以下、図面を参照して本発明の一の実施の形態について説明する。図１乃至図８は、本実施の形態に係る貨幣処理システムおよびこの貨幣処理システムが設けられた店舗システムを示す図である。このうち、図１は、本実施の形態における貨幣処理システムが設けられた店舗システムの構成を示す図であり、図２は、本実施の形態における貨幣処理システムの構成の概略を示す概略構成図である。また、図３は、図２に示す貨幣処理システムにおける硬貨釣銭機、紙幣釣銭機およびＰＯＳレジスタの外観を示す斜視図であり、図４は、図２等に示す貨幣処理システムの制御ブロック図である。また、図５〜図８は、それぞれ、第１〜第３の売上金回収処理が実行されるときの硬貨釣銭機や紙幣釣銭機における硬貨や紙幣の収納状況等を示す説明図である。
【００２４】
まず、本実施の形態による貨幣処理システムが設けられた店舗システムについて図１を用いて説明する。図１に示すように、各店舗１０ａ、１０ｂには貨幣処理システム１が設けられており、各貨幣処理システム１は、貨幣釣銭機と、ＰＯＳレジスタ３００（販売時点管理機能を有する金銭登録機）とを備えている。また、各店舗１０ａ、１０ｂには、各貨幣処理システム１を管理する店舗サーバ４００が設けられている。ここで、貨幣釣銭機は、硬貨や紙幣の入出金処理を行うようになっている。より具体的には、貨幣釣銭機は、図２乃至図４に示すように、硬貨釣銭機１００および紙幣釣銭機２００から構成されており、これらの硬貨釣銭機１００および紙幣釣銭機２００には顧客から預かった硬貨や紙幣がそれぞれ入金されるとともに、硬貨釣銭機１００および紙幣釣銭機２００から釣銭としての硬貨や紙幣がそれぞれ出金されるようになっている。また、各貨幣釣銭機は対応する各ＰＯＳレジスタ３００に通信接続されており、各ＰＯＳレジスタ３００は店舗サーバ４００に通信接続されている。
【００２５】
また、図１に示すように、店舗にＡＴＭ１２が設置されている場合がある（図１の店舗１０ａ参照）。このような店舗１０ａでは、貨幣釣銭機から回収された貨幣は、店舗１０ａに設置されたＡＴＭ１２に入金される場合がある。なお、店舗１０ａに設置されたＡＴＭ１２には硬貨を入金することができないようになっている場合が多い。一方、店舗にＡＴＭ１２が設置されていない場合もある（図１の店舗１０ｂ参照）。このような店舗１０ｂでは、貨幣釣銭機から回収された貨幣は、店員等により店舗外のＡＴＭコーナー２０に運搬されて当該ＡＴＭコーナー２０のＡＴＭ２２に入金されたり、銀行に運搬されて銀行窓口２４に持ち込まれたりするようになっている。
【００２６】
また、図１に示すように、各店舗１０ａ、１０ｂから離間した場所には、各店舗１０ａ、１０ｂの管理を行う本部３０が設けられている。本部３０には管理装置３２が設けられており、この管理装置３２は各店舗１０ａ、１０ｂの店舗サーバ４００に通信接続されている。そして、管理装置３２は各店舗１０ａ、１０ｂの店舗サーバ４００と信号の送受信を行うことにより、各店舗サーバ４００に様々な指示を送ったり、各店舗サーバ４００から売上金情報等の様々な情報を受け取ったりするようになっている。
【００２７】
次に、本実施の形態の貨幣処理システム１の全体構成について図２および図３を用いて説明する。図２および図３に示すように、貨幣処理システム１は、硬貨釣銭機１００と、紙幣釣銭機２００と、ＰＯＳレジスタ３００とを備えている。硬貨釣銭機１００および紙幣釣銭機２００は、それぞれ硬貨や紙幣の入出金処理を行うようになっている。また、図３に示すように、硬貨釣銭機１００および紙幣釣銭機２００は左右方向に並べて配置される。
【００２８】
また、前述したように、ＰＯＳレジスタ３００は店舗サーバ４００に通信接続されている。そして、ＰＯＳレジスタ３００から店舗サーバ４００に売上金情報等が送信されるようになっている。
【００２９】
図２に示すように、硬貨釣銭機１００および紙幣釣銭機２００は、それぞれ制御部１３０、２３０を有しており、これらの制御部１３０、２３０は互いに通信接続されている。また、ＰＯＳレジスタ３００も制御部３３０を有しており、紙幣釣銭機２００の制御部２３０はＰＯＳレジスタ３００の制御部３３０に通信接続されている。そして、ＰＯＳレジスタ３００は、硬貨釣銭機１００および紙幣釣銭機２００の上面に載置される。
【００３０】
以下、硬貨釣銭機１００、紙幣釣銭機２００およびＰＯＳレジスタ３００について図２および図３を用いて詳述する。
【００３１】
まず、硬貨釣銭機１００の構成について具体的に説明する。図２および図３に示すように、硬貨釣銭機１００は、前部上面にタッチパネル等の操作表示部１１２を有する筐体１１０を備えている。筐体１１０の前部には硬貨受入部１１４および硬貨払出部１１６が設けられている。
【００３２】
硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００３３】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３４】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００３５】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３６】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａから外周を取り囲むように配置されている。
【００３７】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００３８】
また、周回搬送部２０３ａと各接続搬送部２０３ｂとの間で紙幣の搬送経路を切り換える経路切換部（図示せず）が、周回搬送部２０３ａに沿って配置されている。
【００３９】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱自在に取り付けられている。
【００４０】
紙幣受入部２１４は、紙幣受入口２１４ａに挿入された入金紙幣を１枚ずつ取り込んで、周回搬送部２０３ａ側へ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００４１】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００４２】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４３】
ＰＯＳレジスタ３００の制御部３３０は、図２に示すように、紙幣釣銭機２００の制御部２３０に通信接続されているとともに、店舗サーバ４００にも通信接続されている。そして、この制御部３３０は、硬貨釣銭機１００の制御部１３０や紙幣釣銭機２００の制御部２３０に指令を送ることにより硬貨釣銭機１００や紙幣釣銭機２００に対して硬貨や紙幣の入出金処理を行わせるようになっている。また、制御部３３０は、硬貨釣銭機１００の制御部１３０や紙幣釣銭機２００の制御部２３０から、これらの硬貨釣銭機１００や紙幣釣銭機２００における硬貨や紙幣の処理状況に係る情報を受け取るようになっている。
【００４４】
操作部３０４は、操作者が操作することができるようになっており、制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、ＰＯＳレジスタ３００には追加の表示部３０２ａが設けられており、様々な情報を表示部３０２に表示させる代わりに、あるいは表示部３０２における表示に加えて、追加の表示部３０２ａにおいて表示が行われるようになっていてもよい。
【００４５】
図４に、上述のような構成からなる貨幣処理システム１の制御ブロック図を示す。図４に示すように、硬貨釣銭機１００の制御部１３０には、インターフェース１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４等がそれぞれ接続されており、硬貨識別部１０１から制御部１３０に硬貨の識別結果が送られるとともに、制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨釣銭機１００の制御部１３０は、インターフェース１３２により、紙幣釣銭機２００の制御部２３０に対して信号の送受信を行うようになっている。また、操作者により操作表示部１１２に入力された指令が当該操作表示部１１２から制御部１３０に送られるとともに、制御部１３０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。記憶部１３４に記憶される情報の詳細については後述する。
【００４６】
また、紙幣釣銭機２００の制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、記憶部２３４等がそれぞれ接続されており、紙幣識別部２０１から制御部２３０に紙幣の識別結果が送られるとともに、制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の制御部２３０は、インターフェース２３２により、硬貨釣銭機１００の制御部１３０やＰＯＳレジスタ３００の制御部３３０に対して信号の送受信を行うようになっている。記憶部２３４に記憶される情報の詳細については後述する。
【００４７】
また、ＰＯＳレジスタ３００の制御部３３０には、表示部３０２、操作部３０４、記憶部３３４、インターフェース３３２等がそれぞれ接続されており、操作者により操作部３０４に入力された指令が当該操作部３０４から制御部３３０に送られるとともに、制御部３３０は表示部３０２に指令を送ることにより当該表示部３０２に様々な情報を表示させるようになっている。なお、制御部３３０は、表示部３０２に様々な情報を表示させる代わりに、あるいは表示部３０２における表示に加えて、追加の表示部３０２ａにおいて表示を行わせるようになっていてもよい。また、ＰＯＳレジスタ３００の制御部３３０は、インターフェース３３２により、紙幣釣銭機２００の制御部２３０や店舗サーバ４００に対して信号の送受信を行うようになっている。記憶部３３４に記憶される情報の詳細については後述する。
【００４８】
次に、このような構成からなる貨幣処理システム１の動作について説明する。なお、以下に示す貨幣処理システム１の動作は、硬貨釣銭機１００の制御部１３０や紙幣釣銭機２００の制御部２３０、あるいはＰＯＳレジスタ３００の制御部３３０が、硬貨釣銭機１００や紙幣釣銭機２００の各構成要素をそれぞれ制御することにより行われる。
【００４９】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５０】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００の制御部３３０から紙幣釣銭機２００経由で出金指令が硬貨釣銭機１００の制御部１３０に送られることにより、硬貨釣銭機１００から釣銭としての硬貨が出金されるようになる。硬貨釣銭機１００の制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５１】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００５２】
また、当該紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００の制御部３３０から出金指令が紙幣釣銭機２００の制御部２３０に送られることにより、紙幣釣銭機２００から釣銭としての紙幣が出金されるようになる。紙幣釣銭機２００の制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００５３】
次に、本実施の形態の貨幣処理システム１において、店舗の営業終了後、あるいは営業中の所定のタイミングに行われる精算処理時において硬貨釣銭機１００や紙幣釣銭機２００から売上金としての紙幣や硬貨を回収する際の動作について説明する。硬貨釣銭機１００や紙幣釣銭機２００から売上金としての紙幣や硬貨を回収する際には、以下に示す５つの売上金回収処理のパターンの中から一つの処理が選択されて実行されるようになっている。
（ａ）硬貨釣銭機１００や紙幣釣銭機２００の機体内に収納された硬貨および紙幣を全て回収する全回収処理
（ｂ）硬貨釣銭機１００や紙幣釣銭機２００の機体内に収納された硬貨および紙幣のうち所定の金額の硬貨および紙幣を機体内に残して他の硬貨および紙幣を回収する金額残置回収処理
（ｃ）硬貨釣銭機１００や紙幣釣銭機２００の機体内に収納された硬貨および紙幣のうち各金種について所定の枚数の硬貨および紙幣を機体内に残して他の硬貨および紙幣を回収する枚数残置回収処理
（ｄ）紙幣釣銭機２００の機体内に収納された紙幣のみを回収する第１の売上金回収処理（具体的な処理内容については後述）
（ｅ）硬貨釣銭機１００の機体内に収納された硬貨および紙幣釣銭機２００の機体内に収納された紙幣を回収する第２の売上金回収処理（具体的な処理内容については後述）
【００５４】
より具体的には、精算処理時において硬貨釣銭機１００や紙幣釣銭機２００から売上金としての紙幣や硬貨を回収する際には、操作者はＰＯＳレジスタ３００の操作部３０４により売上金の回収を行うことを指示する。この際に、操作者は、ＰＯＳレジスタ３００の操作部３０４により、上記（ａ）〜（ｅ）の５つの売上金回収処理のパターンのうちどの処理を行うかを選択する。また、ＰＯＳレジスタ３００の操作部３０４を操作する代わりに、操作者が硬貨釣銭機１００の操作表示部１１２を操作することにより、売上金の回収を行うことを指示し、上記（ａ）〜（ｅ）の５つの売上金回収処理のパターンのうちどの処理を行うかを選択することができるようになっていてもよい。さらには、システム導入時や運用変更時に、売上金回収処理のパターンを予め選択設定し、精算処理時毎に選択操作を行わせないようにしてもよい。この方式であれば、精算処理時の操作を簡素化できるとともに、選択ミスを防止できる。
【００５５】
金額残置回収処理や枚数残置回収処理では、硬貨釣銭機１００や紙幣釣銭機２００の機体内に残置する紙幣および硬貨の合計在高や金種毎の枚数が、店舗の営業開始前に硬貨釣銭機１００や紙幣釣銭機２００の機体内に収納されていた紙幣や硬貨の初期在高や金種毎の枚数と一致するよう、紙幣および硬貨の回収を行うようになっている。
【００５６】
一方、第１の売上金回収処理や第２の売上金回収処理がおこなわれる際には、制御部１３０や制御部２３０、あるいは制御部３３０において残置金額が予め設定されるようになっている。ここで、残置金額とは、これらの第１の売上金回収処理や第２の売上金回収処理が行われた後に、硬貨釣銭機１００や紙幣釣銭機２００の機体内に残置されることが望ましい紙幣および硬貨の在高のことをいう。残置金額の設定を行うにあたり、例えば、精算処理時に硬貨釣銭機１００や紙幣釣銭機２００の機体内に収納されている紙幣や硬貨の合計在高から、店舗の売上金分の金額の紙幣および硬貨の合計金額を差し引くことによって、残置金額の大まかな数字が算出される。このことにより、第１の売上金回収処理や第２の売上金回収処理が行われると、店舗の売上金分の金額にほぼ近い金額分の硬貨および紙幣を回収することができるようになる。このような残置金額は、操作者が硬貨釣銭機１００の操作表示部１１２やＰＯＳレジスタ３００の操作部３０４により入力したり、店舗サーバ４００から残置金額に係る情報を制御部１３０や制御部２３０、あるいは制御部３３０に送信したりすることにより、制御部１３０や制御部２３０、あるいは制御部３３０において設定されるようになる。また、制御部１３０や制御部２３０、あるいは制御部３３０において設定された残置金額は、記憶部１３４や記憶部２３４、あるいは記憶部３３４に記憶されるようになる。
【００５７】
そして、第１の売上金回収処理を行うときには、硬貨釣銭機１００の硬貨収納部１０６における硬貨および紙幣釣銭機２００の紙幣収納部２０６における紙幣の合計在高が、記憶部１３４や記憶部２３４、あるいは記憶部３３４に記憶された残置金額と、紙幣の最小単位金額よりも小さい端数金額との合計の大きさとなるように、紙幣釣銭機２００から紙幣のみが出金されるようになる。
【００５８】
第１の売上金回収処理について図５を用いて具体的に説明する。図５（ａ）に示すように、精算処理を行う時点において、紙幣釣銭機２００の機体内に１万円札が７０枚、５千円札が２０枚、千円札が８０枚それぞれ収納されており、紙幣釣銭機２００の機体内の紙幣の在高が８８０，０００円であり、硬貨釣銭機１００の機体内に５００円玉が２２枚、１００円玉が７７枚、５０円玉が１２枚、１０円玉が９３枚、５円玉が３１枚、１円玉が１１５枚それぞれ収納されており、硬貨釣銭機１００の機体内の硬貨の在高が２０，５００円である場合において、制御部１３０または制御部２３０、あるいは制御部３３０において残置金額として例えば１００，０００円が設定されたときには、この残置金額は記憶部１３４または記憶部２３４、あるいは記憶部３３４に記憶される。
【００５９】
そして、硬貨釣銭機１００の硬貨収納部１０６における硬貨および紙幣釣銭機２００の紙幣収納部２０６における紙幣の合計在高が、記憶部１３４または記憶部２３４、あるいは記憶部３３４に記憶された残置金額である１００，０００円と、紙幣の最小単位金額（千円）よりも小さい端数金額との合計の大きさとなるように、紙幣釣銭機２００から紙幣のみが出金されて回収されるようになる。この際に、紙幣釣銭機２００からは、１万円札、５千円札、千円札の順に優先して出金させる。なぜならば、１万円札が紙幣釣銭機２００内に残置されたとしても、このような１万円札を釣銭として出金させることは通常ありえないからである。一方、千円札は次回の営業期間中に釣銭として出金されることが多いため、今回の売上金回収処理ではできるだけ千円札を紙幣釣銭機２００内に残置させるようにする。このように、１万円札がなるべく紙幣釣銭機２００内に残置されず、一方、千円札がなるべく紙幣釣銭機２００内に残置されるよう、紙幣釣銭機２００から紙幣が出金される。図５（ａ）に示すような例について、紙幣釣銭機２００から出金されて回収される紙幣の金種毎の枚数および合計金額を図５（ｂ）に示す。一方、第１の売上金回収処理では、硬貨釣銭機１００から硬貨が出金されることはない。また、出金処理後、回収データ処理を記憶部１３４または記憶部２３４、あるいは記憶部３３４に記憶させるとともに、ＰＯＳレジスタ３００に設けられたプリンタ等（図示せず）により回収明細書を印字する。より具体的には、回収明細書には、回収日時、担当者コード、出金内容（例えば、金種毎の出金枚数や金額）、回収後の在高等が印字される。
【００６０】
そして、第１の売上金回収処理がおこなわれた後の紙幣釣銭機２００および硬貨釣銭機１００の機体内の紙幣および硬貨の金種別の枚数および在高を図５（ｃ）に示す。図５（ｃ）に示すように、紙幣釣銭機２００の機体内には、５千円札が６枚、千円札が５０枚それぞれ残置されるようになる。一方、第１の売上金回収処理では硬貨釣銭機１００から硬貨が出金されることはないため、硬貨釣銭機１００の機体内には、各金種について第１の売上金回収処理が行われる前と同じ枚数の硬貨が残置されるようになる。そして、硬貨釣銭機１００の機体内の硬貨および紙幣釣銭機２００の機体内の紙幣の合計在高は１００，５００円となる。なお、実際の残置金額（１００，５００円）が、予め設定された残置金額（１００，０００円）よりも若干多くなっているが、差分さえ確実に管理していれば、実際の運用上問題はない。
【００６１】
このように、第１の売上金回収処理では、硬貨釣銭機１００の硬貨収納部１０６における硬貨および紙幣釣銭機２００の紙幣収納部２０６における紙幣の合計在高（１００，５００円）が、記憶部１３４または記憶部２３４、あるいは記憶部３３４に記憶された残置金額である１００，０００円と、紙幣の最小単位金額（千円）よりも小さい端数金額（５００円）との合計の大きさとなるように、紙幣釣銭機２００から紙幣のみが出金されて回収される。そして、第１の売上金回収処理が行われた後の端数金額は、記憶部１３４または記憶部２３４、あるいは記憶部３３４に記憶されるようになる。なお、第１の売上金回収処理が行われた後の端数金額は、残置金額を記憶するための記憶部と同じ記憶部に記憶されてもよく、また、残置金額を記憶するための記憶部とは異なる記憶部に記憶されてもよい。また、第１の売上金回収処理が行われた後の端数金額を記憶するための端数金額記憶部が、上述した記憶部１３４、２３４、３３４とは別に設けられていてもよい。
【００６２】
また、このような第１の売上金回収処理を複数回行ったときに、各回の第１の売上金回収処理における端数金額の累積値が紙幣の最小単位金額（千円）以上となった場合には、紙幣釣銭機２００から紙幣を出金する際に、最小単位金額分の紙幣を追加的に出金させる。具体的に説明すると、ある日の営業終了後において行われた第１の売上金回収処理において端数金額が例えば５００円となった場合には、この端数金額分の硬貨は次の日に繰り越されるようになり、次の日の営業終了後において第１の売上金回収処理が再び行われる際に、この繰り越された端数金額分の硬貨も硬貨釣銭機１００の機体内に収納されたままの状態となる。そして、２回目の第１の売上金回収処理でも残置金額の値によっては端数金額が新たに発生するようになるが、各回の第１の売上金回収処理における端数金額の累積値が紙幣の最小単位金額である千円以上となった場合には、具体的には２回目の第１の売上金回収処理で５００円以上の端数金額が新たに発生した場合には、紙幣釣銭機２００から紙幣を出金する際に、千円分の紙幣を追加的に出金させる。
【００６３】
このような第１の売上金回収処理は、図１の店舗１０ａに示すように、店舗１０ａ内にＡＴＭ１２が設置されている場合に用いられることが多い。すなわち、前述したように、店舗１０ａに設置されたＡＴＭ１２には硬貨を入金することができないようになっている場合が多いが、第１の売上金回収処理では紙幣のみが回収されるようになるため、回収された紙幣をそのまま店舗１０ａ内のＡＴＭ１２に入金させることができるようになる。
【００６４】
次に、第２の売上金回収処理について説明する。第２の売上金回収処理を行うときには、硬貨釣銭機１００の硬貨収納部１０６における硬貨および紙幣釣銭機２００の紙幣収納部２０６における紙幣の合計在高が、記憶部１３４または記憶部２３４、あるいは記憶部３３４に記憶された残置金額と同額となるように、硬貨釣銭機１００および紙幣釣銭機２００から硬貨および紙幣がそれぞれ出金されるようになる。
【００６５】
第２の売上金回収処理について図６を用いて具体的に説明する。図６（ａ）に示すように、精算処理を行う時点において、紙幣釣銭機２００の機体内に１万円札が７０枚、５千円札が２０枚、千円札が８０枚それぞれ収納されており、紙幣釣銭機２００の機体内の紙幣の在高が８８０，０００円であり、硬貨釣銭機１００の機体内に５００円玉が２２枚、１００円玉が７７枚、５０円玉が１２枚、１０円玉が９３枚、５円玉が３１枚、１円玉が１１５枚それぞれ収納されており、硬貨釣銭機１００の機体内の硬貨の在高が２０，５００円である場合において、制御部１３０または制御部２３０、あるいは制御部３３０において残置金額として例えば１００，０００円が設定されたときには、この残置金額は記憶部１３４または記憶部２３４、あるいは記憶部３３４に記憶される。
【００６６】
そして、硬貨釣銭機１００の硬貨収納部１０６における硬貨および紙幣釣銭機２００の紙幣収納部２０６における紙幣の合計在高が、記憶部１３４または記憶部２３４、あるいは記憶部３３４に記憶された残置金額である１００，０００円と同額となるように、硬貨釣銭機１００および紙幣釣銭機２００から硬貨および紙幣がそれぞれ出金されて回収されるようになる。この際に、１万円札がなるべく紙幣釣銭機２００内に残置されず、一方、千円札がなるべく紙幣釣銭機２００内に残置されるよう、紙幣釣銭機２００から紙幣が出金される。また、５００円玉がなるべく硬貨釣銭機１００内に残置されず、一方、１円玉、１０円玉、１００円玉がなるべく硬貨釣銭機１００内に残置されるよう、硬貨釣銭機１００から硬貨が出金される。これらの１円玉、１０円玉、１００円玉は次回の営業期間中に釣銭として出金されることが多いからである。図６（ａ）に示すような例について、硬貨釣銭機１００および紙幣釣銭機２００からそれぞれ出金されて回収される硬貨および紙幣の金種毎の枚数および合計金額を図６（ｂ）に示す。
【００６７】
そして、第２の売上金回収処理がおこなわれた後の紙幣釣銭機２００および硬貨釣銭機１００の機体内の紙幣および硬貨の金種別の枚数および在高を図６（ｃ）に示す。図６（ｃ）に示すように、紙幣釣銭機２００の機体内には、５千円札が６枚、千円札が５０枚それぞれ残置されるようになる。また、硬貨釣銭機１００の機体内には、硬貨釣銭機１００の機体内に５００円玉が２１枚、１００円玉が７７枚、５０円玉が１２枚、１０円玉が９３枚、５円玉が３１枚、１円玉が１１５枚それぞれ残置されるようになる。そして、硬貨釣銭機１００の機体内の硬貨および紙幣釣銭機２００の機体内の紙幣の合計在高は１００，０００円となり、記憶部１３４または記憶部２３４、あるいは記憶部３３４に記憶された残置金額と同額となる。
【００６８】
このように、第２の売上金回収処理では、硬貨釣銭機１００の硬貨収納部１０６における硬貨および紙幣釣銭機２００の紙幣収納部２０６における紙幣の合計在高（１００，０００円）が、記憶部１３４または記憶部２３４、あるいは記憶部３３４に記憶された残置金額である１００，０００円と同額となるように、硬貨釣銭機１００および紙幣釣銭機２００から硬貨および紙幣がそれぞれ出金されて回収される。このため、第２の売上金回収処理では、第１の売上金回収処理のような端数金額は発生しない。
【００６９】
第２の売上金回収処理は、図１の店舗１０ｂに示すように、店舗１０ｂ内にＡＴＭ１２が設置されていない場合に用いられることが多い。第２の売上金回収処理で回収された紙幣および硬貨は、店員等により店舗外のＡＴＭコーナー２０に運搬されて当該ＡＴＭコーナー２０における硬貨を受付け可能なＡＴＭ２２に入金されたり、銀行に運搬されて銀行窓口２４に持ち込まれたりするようになる。
【００７０】
以上のように本実施の形態の貨幣釣銭機（硬貨釣銭機１００および紙幣釣銭機２００が組み合わせられたもの）およびこの貨幣釣銭機が設けられた貨幣処理システム１によれば、硬貨釣銭機１００の制御部１３０または紙幣釣銭機２００の制御部２３０、あるいはＰＯＳレジスタ３００の制御部３３０は、第１の売上金回収処理を行うときに、硬貨収納部１０６および紙幣収納部２０６における硬貨および紙幣の合計在高が、記憶部１３４または記憶部２３４、あるいは記憶部３３４に記憶された残置金額と、紙幣の最小単位金額（例えば、千円）よりも小さい端数金額との合計の大きさとなるように、紙幣のみを出金するよう紙幣釣銭機２００を制御するようになっている。このような第１の売上金回収処理では、売上金としての紙幣や硬貨を回収する際に紙幣のみを出金させることができるので、店舗１０ａに設置されたＡＴＭ１２に硬貨を入金することができないようになっている場合でも、回収された貨幣（紙幣）を当該ＡＴＭ１２に入金することができる。また、第１の売上金回収処理では、硬貨収納部１０６の機体内に残置される硬貨および紙幣収納部２０６の機体内に残置される紙幣の合計在高が、予め設定されて記憶された残置金額よりも必ず大きくなる。このため、回収される紙幣の金額が過大になってしまうことを防止することができる。
【００７１】
また、本実施の形態の貨幣釣銭機およびこの貨幣釣銭機が設けられた貨幣処理システム１では、前述したように、第１の売上金回収処理を実行した後の端数金額は、残置金額を記憶する記憶部、または残置金額を記憶する記憶部とは別に設けられた他の記憶部に記憶されるようになっている。このことにより、売上金の回収後の残置金額が管理されるため、長期的に見て現金管理が不正確になってしまうことを防止することができる。
【００７２】
また、本実施の形態の貨幣釣銭機およびこの貨幣釣銭機が設けられた貨幣処理システム１では、複数回の第１の売上金回収処理を行ったときに、各回の第１の売上金回収処理における端数金額の累積値が紙幣の最小単位金額（例えば、千円）以上となった場合には、紙幣釣銭機２００から紙幣を出金する際に、最小単位金額分の紙幣を追加的に出金させるようになっている。このことにより、複数回の第１の売上金回収処理を行った場合でも、端数金額が一方的に増加してしまうことがなく、ある程度まで端数金額が増えると硬貨の代わりに紙幣として端数金額分の貨幣を出金することができる。
【００７３】
また、本実施の形態の貨幣釣銭機およびこの貨幣釣銭機が設けられた貨幣処理システム１では、硬貨釣銭機１００の制御部１３０または紙幣釣銭機２００の制御部２３０、あるいはＰＯＳレジスタ３００の制御部３３０は、硬貨収納部１０６および紙幣収納部２０６における硬貨および紙幣の合計在高が、記憶部１３４または記憶部２３４、あるいは記憶部３３４に記憶された残置金額と同額となるように、硬貨釣銭機１００および紙幣釣銭機２００から硬貨および紙幣をそれぞれ出金させるような第２の売上金回収処理も行うことができるようになっており、硬貨釣銭機１００の制御部１３０または紙幣釣銭機２００の制御部２３０は、第１の売上金回収処理および第２の売上金回収処理のうちいずれか一方の売上金回収処理を選択して実行するようになっている。
【００７４】
なお、本実施の形態による貨幣釣銭機やこの貨幣釣銭機が設けられた貨幣処理システム１は、上記の態様に限定されるものではなく、様々の変更を加えることができる。
【００７５】
例えば、貨幣処理システム１における硬貨釣銭機１００、紙幣釣銭機２００およびＰＯＳレジスタ３００の各制御部１３０、２３０、３３０が、第１の売上金回収処理や第２の売上金回収処理における各動作を分担して硬貨釣銭機１００や紙幣釣銭機２００の各構成要素を制御するようになっていてもよい。例えば、第１の売上金回収処理が行われる際に、紙幣釣銭機２００の制御部２３０が、当該紙幣釣銭機２００から出金されるべき紙幣の金種毎の枚数や回収金額を算出し、制御部２３０が当該紙幣釣銭機２００の各構成要素を制御することにより回収紙幣を出金させるようにしてもよい。また、第１の売上金回収処理が行われる際に、硬貨釣銭機１００の制御部１３０が、紙幣釣銭機２００から出金されるべき紙幣の金種毎の枚数や回収金額を算出し、この制御部１３０が紙幣釣銭機２００に対して紙幣の払い出し指示を行うようにしてもよい。また、第１の売上金回収処理が行われる際に、ＰＯＳレジスタ３００の制御部３３０が、紙幣釣銭機２００から出金されるべき紙幣の金種毎の枚数や回収金額を算出し、この制御部３３０が紙幣釣銭機２００に対して紙幣の払い出し指示を行うようにしてもよい。
【００７６】
また、貨幣処理システム１に棒金ドロアが設けられていてもよい。この場合、棒金ドロアに収納される棒金硬貨は硬貨の集合体であるため、第１の売上金回収処理が行われる際には、棒金ドロアから棒金硬貨が出金されることはなく、硬貨分として全ての棒金硬貨が棒金ドロアに残置されるようになる。
【００７７】
また、図１に示すように、貨幣処理システム１に複数の貨幣釣銭機（硬貨釣銭機１００および紙幣釣銭機２００が組み合わせられたもの）が設けられているときに、各貨幣釣銭機から売上金としての紙幣や硬貨を回収する際に、以下に示すような第３の売上金回収処理が行われるようになっていてもよい。以下、第３の売上金回収処理について詳細に説明する。
【００７８】
第３の売上金回収処理がおこなわれる際には、各貨幣釣銭機の硬貨釣銭機１００における制御部１３０や紙幣釣銭機２００における制御部２３０、あるいはＰＯＳレジスタ３００の制御部３３０において、各々の貨幣釣銭機の残置金額が予め設定されるようになっている。なお、残置金額の設定値は、全機共通であってもいいし、売り場条件に対応して、貨幣釣銭機毎に設定してもよい。また、記憶部１３４や記憶部２３４、あるいは記憶部３３４には、各貨幣釣銭機の残置金額を特定可能な情報が記憶されるようになる。
【００７９】
そして、第３の売上金回収処理を行うときには、複数の貨幣釣銭機の硬貨釣銭機１００の硬貨収納部１０６における硬貨および紙幣釣銭機２００の紙幣収納部２０６における紙幣の総合計在高が、記憶部１３４や記憶部２３４、あるいは記憶部３３４に記憶された情報から特定される残置金額を合わせた総残置金額と、紙幣の最小単位金額よりも小さい端数金額との合計の大きさとなるように、各貨幣釣銭機の紙幣釣銭機２００から紙幣のみが出金されるようになる。
【００８０】
第３の売上金回収処理について図７および図８を用いて具体的に説明する。図７（ａ）に示すように、貨幣処理システム１に２台の貨幣釣銭機（貨幣釣銭機Ａおよび貨幣釣銭機Ｂ）が設けられている場合について例示する。精算処理を行う時点において、貨幣釣銭機Ａの紙幣釣銭機２００の機体内に１万円札が７０枚、５千円札が２０枚、千円札が８０枚それぞれ収納されており、当該紙幣釣銭機２００の機体内の紙幣の在高が８８０，０００円であり、貨幣釣銭機Ａの硬貨釣銭機１００の機体内に５００円玉が２２枚、１００円玉が７８枚、５０円玉が１２枚、１０円玉が９３枚、５円玉が３１枚、１円玉が１１５枚それぞれ収納されており、当該硬貨釣銭機１００の機体内の硬貨の在高が２０，６００円となっている。また、貨幣釣銭機Ｂの紙幣釣銭機２００の機体内に１万円札が３０枚、５千円札が１０枚、千円札が４０枚それぞれ収納されており、当該紙幣釣銭機２００の機体内の紙幣の在高が３９０，０００円であり、貨幣釣銭機Ｂの硬貨釣銭機１００の機体内に５００円玉が１２枚、１００円玉が３６枚、５０円玉が１２枚、１０円玉が３５枚、５円玉が１１枚、１円玉が１５枚それぞれ収納されており、当該硬貨釣銭機１００の機体内の硬貨の在高が１０，６２０円となっている。この場合に、各貨幣釣銭機の硬貨釣銭機１００における制御部１３０や紙幣釣銭機２００における制御部２３０、あるいはＰＯＳレジスタ３００の制御部３３０において、残置金額として例えば貨幣釣銭機１台あたり５０，０００円が設定されたときは、各貨幣釣銭機の残置金額を特定可能な情報（具体的には、貨幣釣銭機１台あたりの残置金額が５０，０００円であることを特定可能な情報）が記憶部１３４または記憶部２３４、あるいは記憶部３３４に記憶される。
【００８１】
第３の売上金回収処理を説明するにあたり、まず、比較例として、図７（ａ）に示す状態で各貨幣釣銭機Ａ、Ｂにおいて前述した第１の売上金回収処理が仮に行われた場合に各貨幣釣銭機Ａ、Ｂの在高がどのように変化するかについて図７（ｂ）（ｃ）を用いて説明する。
【００８２】
各貨幣釣銭機Ａ、Ｂにおいて第１の売上金回収処理が行われる場合には、各貨幣釣銭機Ａ、Ｂにおいて、硬貨釣銭機１００の硬貨収納部１０６における硬貨および紙幣釣銭機２００の紙幣収納部２０６における紙幣の合計在高が、各貨幣釣銭機の残置金額である５０，０００円と、紙幣の最小単位金額（千円）よりも小さい端数金額との合計の大きさとなるように、各貨幣釣銭機Ａ、Ｂの紙幣釣銭機２００から紙幣のみが出金されて回収されるようになる。この際に、１万円札がなるべく各貨幣釣銭機Ａ、Ｂの紙幣釣銭機２００内に残置されず、一方、千円札がなるべく各貨幣釣銭機Ａ、Ｂの紙幣釣銭機２００内に残置されるよう、各貨幣釣銭機Ａ、Ｂの紙幣釣銭機２００から紙幣が出金される。図７（ａ）に示すような例について、第１の売上金回収処理が行われる場合において、各貨幣釣銭機Ａ、Ｂの紙幣釣銭機２００から出金されて回収される紙幣の金種毎の枚数および合計金額を図７（ｂ）に示す。なお、この際に、各貨幣釣銭機Ａ、Ｂの硬貨釣銭機１００から硬貨が出金されることはない。
【００８３】
そして、第１の売上金回収処理がおこなわれた後の各貨幣釣銭機Ａ、Ｂにおける紙幣釣銭機２００および硬貨釣銭機１００の機体内の紙幣および硬貨の金種別の枚数および在高を図７（ｃ）に示す。図７（ｃ）に示すように、貨幣釣銭機Ａの紙幣釣銭機２００の機体内には、千円札が３０枚残置されるようになり、貨幣釣銭機Ｂの紙幣釣銭機２００の機体内には、千円札が４０枚残置されるようになる。一方、第１の売上金回収処理では各貨幣釣銭機Ａ、Ｂの硬貨釣銭機１００から硬貨が出金されることはないため、各貨幣釣銭機Ａ、Ｂの硬貨釣銭機１００の機体内には、各金種について第１の売上金回収処理が行われる前と同じ枚数の硬貨が残置されるようになる。そして、貨幣釣銭機Ａの硬貨釣銭機１００の機体内の硬貨および紙幣釣銭機２００の機体内の紙幣の合計在高は５０，６００円となり、また、貨幣釣銭機Ｂの硬貨釣銭機１００の機体内の硬貨および紙幣釣銭機２００の機体内の紙幣の合計在高は５０，６２０円となり、このため、各貨幣釣銭機Ａ、Ｂの硬貨釣銭機１００の機体内の硬貨および紙幣釣銭機２００の機体内の紙幣の総合計在高は１０１，２２０円となる。まだ、貨幣釣銭機Ａにおける端数金額は６００円となり、貨幣釣銭機Ｂにおける端数金額は６２０円となり、各貨幣釣銭機Ａ、Ｂの端数金額の合計は１，２２０円となる。
【００８４】
このように、各貨幣釣銭機Ａ、Ｂにおいて第１の売上金回収処理が行われる場合には、各貨幣釣銭機Ａ、Ｂの端数金額の合計値（１，２２０円）は、紙幣の最小単位金額である１，０００円を超えている。これに対し、以下に詳述する第３の売上金回収処理では、各貨幣釣銭機Ａ、Ｂの端数金額の合計値を最小限のものとするため、千円札をもう１枚余分に回収するようにする。
【００８５】
以下、図８（ａ）に示す状態の各貨幣釣銭機Ａ、Ｂにおいて、第３の売上金回収処理が行われた場合に各貨幣釣銭機Ａ、Ｂの在高がどのように変化するかについて図８（ｂ）（ｃ）を用いて説明する。なお、図８（ａ）に示す各貨幣釣銭機Ａ、Ｂにおける収納貨幣の内訳は、図７（ａ）に示す各貨幣釣銭機Ａ、Ｂにおける収納貨幣の内訳と全く同一である。
【００８６】
前述のように、第３の売上金回収処理を行うときには、貨幣釣銭機Ａ、Ｂの硬貨釣銭機１００の硬貨収納部１０６における硬貨および紙幣釣銭機２００の紙幣収納部２０６における紙幣の総合計在高が、記憶部１３４や記憶部２３４、あるいは記憶部３３４に記憶された情報から特定される残置金額を合わせた総残置金額と、紙幣の最小単位金額よりも小さい端数金額との合計の大きさとなるように、各貨幣釣銭機の紙幣釣銭機２００から紙幣のみが出金されて回収されるようになる。ここで、残置金額として、１台あたり５０，０００円が設定されているので、総残置金額は１００，０００円となる。また、１万円札がなるべく各貨幣釣銭機Ａ、Ｂの紙幣釣銭機２００内に残置されず、一方、千円札がなるべく各貨幣釣銭機Ａ、Ｂの紙幣釣銭機２００内に残置されるよう、各貨幣釣銭機Ａ、Ｂの紙幣釣銭機２００から紙幣が出金される。図８（ａ）に示すような例について、第３の売上金回収処理が行われる場合に、各貨幣釣銭機Ａ、Ｂの紙幣釣銭機２００から出金されて回収される紙幣の金種毎の枚数および合計金額を図８（ｂ）に示す。なお、第３の売上金回収処理では、第１の売上金回収処理と同様に、各貨幣釣銭機Ａ、Ｂの硬貨釣銭機１００から硬貨が出金されることはない。また、図８（ｂ）に示すように、第３の売上金回収処理が行われる場合には、第１の売上金回収処理が行われる場合と比較して、貨幣釣銭機Ｂの紙幣釣銭機２００から千円札が１枚余分に出金されて回収されるようになる。なお、このような余分の１枚の千円札をどの貨幣釣銭機から出金させるかについては、制御部１３０や制御部２３０、あるいは制御部３３０において予め設定されるようになっていてもよい。具体的には、貨幣釣銭機Ａ、Ｂのうちいずれか一方の貨幣釣銭機が親機として設定され（図８に示す例では貨幣釣銭機Ｂが親機として設定されている）、この親機として設定された貨幣釣銭機の紙幣釣銭機２００から余分の１枚の紙幣が出金されるようになっていてもよい。また、余分の１枚の千円札を出金させる貨幣釣銭機の設定が固定されておらず、機内の合計在高と残置金額（５０，０００円）との差が最小になるような貨幣釣銭機がその都度、制御部１３０や制御部２３０、あるいは制御部３３０において選択され、選択された貨幣釣銭機の紙幣釣銭機２００から余分の１枚の紙幣が出金されるようになっていてもよい。
【００８７】
そして、第３の売上金回収処理がおこなわれた後の各貨幣釣銭機Ａ、Ｂの紙幣釣銭機２００および硬貨釣銭機１００の機体内の紙幣および硬貨の金種別の枚数および在高を図８（ｃ）に示す。図８（ｃ）に示すように、貨幣釣銭機Ａの紙幣釣銭機２００の機体内には千円札が３０枚残置されるようになり、貨幣釣銭機Ｂの紙幣釣銭機２００の機体内には千円札が３９枚残置されるようになる。一方、第３の売上金回収処理では各貨幣釣銭機Ａ、Ｂの硬貨釣銭機１００から硬貨が出金されることはないため、各貨幣釣銭機Ａ、Ｂの硬貨釣銭機１００の機体内には、各金種について第３の売上金回収処理が行われる前と同じ枚数の硬貨が残置されるようになる。そして、貨幣釣銭機Ａの硬貨釣銭機１００の機体内の硬貨および紙幣釣銭機２００の機体内の紙幣の合計在高は５０，６００円となり、また、貨幣釣銭機Ｂの硬貨釣銭機１００の機体内の硬貨および紙幣釣銭機２００の機体内の紙幣の合計在高は４９，６２０円となり、このため、各貨幣釣銭機Ａ、Ｂの硬貨釣銭機１００の機体内の硬貨および紙幣釣銭機２００の機体内の紙幣の総合計在高は１００，２２０円となる。まだ、貨幣釣銭機Ａにおける端数金額は６００円となり、貨幣釣銭機Ｂにおける端数金額は−３８０円となり、各貨幣釣銭機Ａ、Ｂの端数金額の合計は２２０円となる。
【００８８】
そして、第３の売上金回収処理が行われた後の各貨幣釣銭機Ａ、Ｂのそれぞれ端数金額や、端数金額の合計値は、記憶部１３４または記憶部２３４、あるいは記憶部３３４に記憶されるようになる。なお、第３の売上金回収処理が行われた後の端数金額は、残置金額を記憶するための記憶部と同じ記憶部に記憶されてもよく、また、残置金額を記憶するための記憶部とは異なる記憶部に記憶されてもよい。また、第３の売上金回収処理が行われた後の端数金額を記憶するための端数金額記憶部が、上述した記憶部１３４、２３４、３３４とは別に設けられていてもよい。
【００８９】
このように、第３の売上金回収処理を行った場合には、第１の売上金回収処理を行った場合と比較して、各貨幣釣銭機Ａ、Ｂにおける端数金額の合計値を、紙幣の最小単位金額よりも小さくすることができる。なお、第３の売上金回収処理を行った場合には、貨幣釣銭機Ｂの合計在高が残置金額よりも小さくなるが、各貨幣釣銭機Ａ、Ｂにおける端数金額の合計値を抑えることを優先させる場合には、操作者によりこのような第３の売上金回収処理を実行することが選択されるようになる。一方、各貨幣釣銭機Ａ、Ｂの合計在高がそれぞれ貨幣釣銭機毎の残置金額を超えるようにすることを優先する場合には、図７に示すように各貨幣釣銭機Ａ、Ｂについて第１の売上金回収処理を実行することを操作者は選択することになる。
【００９０】
図８に示すような変形例に係る貨幣処理システム１によれば、紙幣および硬貨からなる貨幣を処理する貨幣釣銭機が複数設けられており、各貨幣釣銭機の硬貨釣銭機１００の制御部１３０または紙幣釣銭機２００の制御部２３０、あるいはＰＯＳレジスタ３００の制御部３３０は、第３の売上金回収処理を行うときに、各貨幣釣銭機の硬貨釣銭機１００の硬貨収納部１０６および紙幣釣銭機２００の紙幣収納部２０６における硬貨および紙幣の総合計在高が、記憶部１３４または記憶部２３４、あるいは記憶部３３４に記憶された情報から特定される残置金額を合わせた総残置金額と、紙幣の最小単位金額（例えば、千円）よりも小さい端数金額との合計の大きさとなるように、紙幣のみを出金するよう各貨幣釣銭機の紙幣釣銭機２００を制御するようになっている。このような第３の売上金回収処理では、売上金としての紙幣や硬貨を回収する際に紙幣のみを出金させることができるので、店舗１０ａに設置されたＡＴＭ１２に硬貨を入金することができないようになっている場合でも、回収された貨幣（紙幣）を当該ＡＴＭ１２に入金することができる。また、第３の売上金回収処理では、各貨幣釣銭機の硬貨収納部１０６の機体内に残置される硬貨および紙幣収納部２０６の機体内に残置される紙幣の総合計在高が、各貨幣釣銭機の残置金額を合わせた総残置金額よりも必ず大きくなる。このため、回収される紙幣の金額が過大になってしまうことを防止することができる。また、第３の売上金回収処理では、複数の貨幣釣銭機における機体内の紙幣および硬貨の在高をまとめて管理している。このため、売上金回収処理を行う際に貨幣釣銭機を個々に管理する場合と比較して、貨幣処理システム１全体における残置金額を減少させることができる。すなわち、図８に示すような例において、第３の売上金回収処理を行った場合には貨幣処理システム１全体における残置金額は２２０円となるが、もし貨幣釣銭機を個々に管理し、各貨幣釣銭機についてそれぞれ第１の売上金回収処理を行った場合には、図７に示すように、貨幣処理システム１全体における残置金額は１，２２０円となる。このように、第３の売上金回収処理を行うことにより、貨幣処理システム１全体における残置金額を減少させることができる。
【符号の説明】
【００９１】
１  貨幣処理システム
１０ａ、１０ｂ  店舗
１２  ＡＴＭ
２０  ＡＴＭコーナー
２２  ＡＴＭ
２４  銀行窓口
３０  本部
３２  管理装置
１００  硬貨釣銭機
１０１  硬貨識別部
１０３  入金搬送部
１０４  分岐部
１０６  硬貨収納部
１０８  出金搬送部
１１０  筐体
１１２  操作表示部
１１４  硬貨受入部
１１６  硬貨払出部
１３０  制御部
１３２  インターフェース
１３４  記憶部
２００  紙幣釣銭機
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１４  紙幣受入部
２１４ａ  紙幣受入口
２１６  紙幣払出部
２１６ａ  紙幣取出口
２３０  制御部
２３２  インターフェース
２３４  記憶部
３００  ＰＯＳレジスタ
３０２  表示部
３０２ａ  追加の表示部
３０４  操作部
３３０  制御部
３３２  インターフェース
３３４  記憶部
４００  店舗サーバ
【図１】
0005859243.tif 000002
【図２】
0005859243.tif 000003
【図３】
0005859243.tif 000004
【図４】
0005859243.tif 000005
【図５】
0005859243.tif 000006
【図６】
0005859243.tif 000007
【図７】
0005859243.tif 000008
【図８】
0005859243.tif 000009